(57)【要約】【課題】簡素な構成で安価に提供され、かつ、多量の降雨があってもストレーナ上方の水を排出することのできるストレーナが望まれている。【解決手段】ストレーナ１は、ベランダ床やルーフなどの排水口を通水可能に塞ぐ反転椀状の漉し部材２と、漉し部材２の下面２Ｂに一体的に垂設された支柱３と、支柱３の下端部に取り付けられ先端が排水口内の内周壁に弾性力により接して漉し部材２を保持するバネ脚１２，１２とを備えるものであって、支柱３内に、漉し部材２の上方空間Ｍと漉し部材２の内部空間Ｎとを連通するオーバーフロー管路６が形成されている。漉し部材２の内部空間Ｎに開口するオーバーフロー管路６の出水口８，８が、支柱３の途中に形成されている。【選択図】図４
2011144573.tif 000002
【特許請求の範囲】
【請求項１】
ベランダ床やルーフなどの排水口を通水可能に塞ぐ反転椀状の漉し部材と、漉し部材の下面に漉し部材と一体に垂設された支柱と、支柱の下端部に取り付けられ先端が排水口内の内周壁に弾性力により接して漉し部材を保持するバネ脚とを備えるストレーナにおいて、支柱内に、漉し部材の上方空間と漉し部材の内部空間とを連通するオーバーフロー管路が形成されていることを特徴とする排水口のストレーナ。
【請求項２】
漉し部材の内部空間に開口するオーバーフロー管路の出水口が、支柱の途中に形成されている請求項１に記載の排水口のストレーナ。
【発明の詳細な説明】
【技術分野】
【０００１】
本発明は、ベランダ床やルーフなどの排水口を通水可能に塞ぐ反転椀状の漉し部材を有するストレーナに関するものである。
【背景技術】
【０００２】
近年、図６に示すように、２階などにベランダ２０を備えた住宅建築が増えている。このベランダ２０は、住宅建築の外壁から屋外に突設された床２１と、床２１の先端に立設された竪壁２２とから成っている。床２１には排水口２６を有するドレン２７と、ドレン２７につながる排水管が上下貫通して設置されている。一般に、住宅建築の室内２３は敷居２４の引戸枠２５上を走行するガラスサッシにより室外と区画されている。そして、床２１は排水口２６の位置が最も低くなるように傾斜させてあり、ドレン２７とつながる排水管は通常以上の降雨があっても雨水を排出可能な流路断面積を有するものが使用されている。前記の排水口２６を蓋うストレーナ５１は、排水口２６を通水自在に蓋う漉し部材５２と、漉し部材５２の下面に配置されて漉し部材５２の上面側からビス止めされた支柱５３と、支柱５３の下端部にビスで固定されたバネ脚１２とから成っている。漉し部材５２の側面には多数の通水開口５４，５４，５４，・・・が周方向に適宜間隔で形成されている。バネ脚１２は排水口２６内に挿通されてドレン２７の内周壁で係止されるようになっている。このようなストレーナ５１は例えば下記の特許文献１に記載されている。
【０００３】
上記した住宅建築では、風に乗って飛来した落ち葉や食品包装袋などがベランダ２０の床２１上に落ちることが多い。そして、床２１に飛来した落ち葉などは、風によって或いはベランダ２０に降り注いだ雨水の流れによって、排水口２６に向かいストレーナ５１で留められる。但し、落ち葉などがストレーナ５１の漉し部材２に堆積していても、通常の雨量程度であれば、雨水は落ち葉などの隙間を通り抜け、更に通水開口５４，５４，５４，・・・を通り抜けて排水口２６から排水管へ流出するようになっている。このストレーナ５１では、漉し部材５２と支柱５３とが別部品で構成され、これらを固定するビスも必要となるため、部品点数が多くなり、部品の製造コストや保管管理コストが増大するという課題がある。
【０００４】
そこで、図７および図８に示すようなストレーナ５１Ａが提案されている。このストレーナ５１Ａの基本構成は前述のストレーナ５１と同様であるが、漉し部材５２と支柱５３とが合成樹脂原料で一体に形成され、漉し部材５２と支柱５３を固定するためのビスは不要となっている。この場合、支柱５３は、バネ脚１２をビス１１で止め得る太さでよいことから比較的細く形成されているが、漉し部材５２の内壁面と支柱５３の外壁面との間は、周方向に離間した３〜４枚の補強板部５５を介して一体に連結され補強されている。
【先行技術文献】
【特許文献】
【０００５】
【特許文献１】特開２００６−４５８８１号公報
【発明の概要】
【発明が解決しようとする課題】
【０００６】
ところで、想定外の豪雨になると、漉し部材５２の通水開口５４，５４，５４，・・・を通って流出する量よりも床２１上への降雨量が多くなり、床２１上の雨水の水位が急激に上昇する。そのうち、雨水が例えば図６中のＳで示す水位に達すると、敷居２４を超えて室内２３を台無しにするおそれがある。このようなに非常事態を回避するために、通常の排水口２６以外に、竪壁２２に横向きのオーバーフロー管（不図示）を穿設して豪雨に備えるという対策を講じることが考えられる。しかしながら、オーバーフロー管を竪壁２２に設けたとしても、豪雨により水位が急激に上がってオーバーフロー管に到達する時間が短すぎるという、いわゆる排水処理能力不足の場合もある。
【０００７】
本発明は、上記した従来の問題点に鑑みてなされたものであって、簡素な構成で安価に提供され、かつ、多量の降雨があってもストレーナ上方の水を排出することのできるストレーナの提供を目的とする。
【課題を解決するための手段】
【０００８】
上記目的を達成するために、本発明に係る排水口のストレーナは、ベランダ床やルーフなどの排水口を通水可能に塞ぐ反転椀状の漉し部材と、漉し部材の下面に漉し部材と一体に垂設された支柱と、支柱の下端部に取り付けられ先端が排水口内の内周壁に弾性力により接して漉し部材を保持するバネ脚とを備えるストレーナにおいて、支柱内に、漉し部材の上方空間と漉し部材の内部空間とを連通するオーバーフロー管路が形成されているものである。
【０００９】
また、前記構成において、漉し部材の内部空間に開口するオーバーフロー管路の出水口が、支柱の途中に形成されているものである。
【発明の効果】
【００１０】
本発明に係る排水口のストレーナによれば、一体構成である支柱および濾し部材がオーバーフロー管路を備えているので、オーバーフロー管路付きのストレーナを簡素な構成により安価に製造することができる。また、多量の降雨により漉し部材だけでは排水が賄えなくなった場合でも、オーバーフロー管路を経由させて雨水をベランダなどの排水口から排出することができる。その結果、雨水の水位が、例えばベランダの竪壁などに設けられた別のオーバーフロー管に到達するまでの時間を延ばすことができる。そして、比較的多量の雨水を通過させなければならないオーバーフロー管路が支柱内に形成されるので、支柱は必然的に太くならざるを得ない。これにより、支柱と濾し部材との連結強度を高くできるから、従来技術のような補強板部を必要としなくて済む。
【００１１】
また、漉し部材の内部空間に開口するオーバーフロー管路の出水口が、支柱の途中に形成されているものでは、支柱の下端部に、簡素な構成で済むバネ脚取付構造を設けることができる。
【図面の簡単な説明】
【００１２】
【図１】本発明の一実施形態に係るストレーナの外観図である。
【図２】バネ脚を取外した前記ストレーナの正面図である。
【図３】バネ脚を取外した前記ストレーナの底面図である。
【図４】図３におけるＡ−Ａ線矢視断面図でありバネ脚を取り付けた状態の図である。
【図５】前記ストレーナでベランダの排水口を蓋って使用する態様を示す説明図である。
【図６】一従来例のストレーナでベランダの排水口を蓋って使用する態様を示す説明図である。
【図７】別従来例のストレーナの外観図である。
【図８】前記別従来例のストレーナおよびベランダの排水口近傍の縦断面図である。
【発明を実施するための形態】
【００１３】
本発明の実施形態を図面に基づいて説明する。尚、以下に述べる実施形態は本発明を具体化した一例に過ぎず、本発明の技術的範囲を限定するものでない。図１は本発明の一実施形態に係る排水口のストレーナの外観図、図２はバネ脚を取外した前記ストレーナの正面図、図３はバネ脚を取外した前記ストレーナの底面図、図４は図３におけるＡ−Ａ線矢視断面図でありバネ脚を取り付けた状態の図である。尚、図６〜図８に示したベランダ２０および従来のストレーナ５１，５１Ａと同一の構成要素には、同一の符号を付すとともにその詳細な説明を省略することがある。
各図において、この実施形態に係る排水口のストレーナ１は、天地反転させた御椀状の漉し部材２と、漉し部材２の下面２Ｂに漉し部材２と一体に垂設された支柱３と、支柱３の下端部に取り付けられたバネ脚１２と、バネ脚１２を支柱３の下端部に固定するビス１１とから成り、少ない部品点数による簡素な構成で済み安価に提供される。
【００１４】
漉し部材２の側面下部には、多数の通水開口５，５，５，・・・が周方向に適宜間隔で形成されている。また、漉し部材２における通水開口５，５，５，・・・の各上方位置には、多数の通水開口４，４，４，・・・がそれぞれ形成されている。そして、支柱３の上側部分は円筒状部３Ｃとして形成されており、支柱３の下側部分は柱形状の前後側面が切り欠かれたような板状部３Ａとなっている。この支柱３の円筒状部３Ｃ内には、漉し部材２の上方空間Ｍと漉し部材２の内部空間Ｎとを連通するオーバーフロー管路６が形成されている。支柱３の円筒状部３Ｃと板状部３Ａとの境目あたりに、漉し部材２の内部空間Ｎに開口するオーバーフロー管路６の出水口８，８が形成される。すなわち、出水口８，８は、漉し部材２の下面２Ｂと支柱３の下端面３Ｂとの間である、支柱３の途中に形成されている。オーバーフロー管路６の最下部である突き当たり部分は板状部３Ａの上端面であるが、上向きに膨らむ曲面部１０となっている。支柱３の下端面３Ｂには前後方向の収容溝１４が刻設され、この収容溝１４の前後方向中央部に雌ネジ穴９が穿設されている。
【００１５】
一方、バネ脚１２の長尺方向中央部にはビス挿通用の孔１３が穿設されている。このバネ脚１２は収容溝１４内に前後の向きで収容され、孔１３を通されたビス１１が雌ネジ穴９に螺止されることにより支柱３に固定される。かかるストレーナ１において、漉し部材２と支柱３は例えば耐候性合成樹脂である硬質ポリ塩化ビニルを原材料とする一体成型により形成され、バネ脚１２は例えばステンレス鋼薄板で構成されている。
【００１６】
上記のように構成されたストレーナ１の作用を、図５を主に用い図１〜図４も併用して説明する。ベランダ２０の竪壁２２には、ベランダ外と連通するオーバーフロー管２８が設けられている。
まず、バネ脚１２の両端が手ですぼめられてベランダ２０の排水口２６内に挿入され押し下げられる。そして、押し下げ途中でバネ脚１２から手を離すと、バネ脚１２の両端が弾性力によってドレン２７の内周壁２７Ａに圧接する。そのうち、濾し部材２の下端部が床２１上に当接して留まる。このとき、濾し部材２は排水口２６を通水可能に塞いでいる。こうして、ストレーナ１はそのときの位置および姿勢（図５参照）に保持される。そして、前記の状態でストレーナ１を使用していると、ベランダ２０内に雨が降ったり枯葉が飛来したりし、飛来した枯葉はストレーナ１の周囲に集まってくる。通常時の雨水は落ち葉などの隙間を通り抜け、更に漉し部材２の通水開口４，４，４，・・・，５，５，５，・・・を通り抜けて排水口２６から排水管へ流出する。一方、豪雨時にベランダ２０内に大量の降雨があり、落葉などの隙間から通水開口４，５を通って流れ込む量よりも床２１上への降雨量が多くなると、床２１上の水位は上昇していく。この場合、雨水の水位が漉し部材２の上面２Ａを超えた高さ、すなわち図５中のほぼＳＡで示す水位に達すると、雨水は取水口７からオーバーフロー管路６内に流入する。オーバーフロー管路６内を流下した雨水は、板状部３Ａの曲面部１０に当って前後に分かれ、前後の出水口８，８から濾し部材２の内部空間Ｎに噴出する。濾し部材２の内部空間Ｎに噴出した雨水はドレン２７の排水口２６を経て排水管から建物外に流出するのである。
【００１７】
上記したように、このストレーナ１によれば、一体構造である支柱３および濾し部材２がオーバーフロー管路６を備えているので、多量の降雨により通水開口４，５だけで通水処理が賄えなくなったとしても、雨水をオーバーフロー管路６経由で床２１の排水口２６から建物外へ排水することができる。従って、ベランダ２０内で雨水の水位が急激に上昇しても、オーバーフロー管路６を有していることにより、水位が竪壁２２のオーバーフロー管２８に達するまでの時間を延ばすことができ、激しい豪雨にも余裕をもって対処することができる。また、オーバーフロー管路６を有する支柱３は漉し部材２内に配置されるので、オーバーフロー管路６付きでありながらストレーナ１自体をコンパクトに構成することができる。
【００１８】
また、このストレーナ１では、比較的多量の雨水を通過させるオーバーフロー管路６が支柱３内に形成されるので、支柱３は必然的に太くならざるを得ない。その結果、支柱３と濾し部材２との連結強度を高くすることができる。このように支柱３と濾し部材２との連結強度が高くなるから、従来のストレーナ５１Ａのような補強板部５５，５５（図８参照）は不要となる。このような補強板部５５の省略により、簡素で安価な成型金型を使用でき、成型コストの低減化を図ることができる。一方で、仮にストレーナ５１Ａのような補強板部５５が濾し部材２内に存在すると、通水開口４，５および出水口８，８から流入した雨水は流れが補強板部５５に邪魔されて排水口２６から流出しにくくなる。しかしながら、ストレーナ１は補強板部５５を備えていないので、通水開口４，５からの雨水はもとより出水口８，８からの雨水も、濾し部材２内を円滑に流れ排水口２６に導かれて順次流出していく。
【００１９】
ところで、支柱３の下端部に在るバネ脚１２の取付位置を仮に変更して、例えば支柱３の外周面にバネ脚１２の取付構造を設けるとともに、支柱３の下端面３Ｂにオーバーフロー管路６の出水口を形成することが考えられる。しかしながら、そのようにすると、バネ脚１２の取付構造は一定以上の取付強度を確保するために複雑な構成とならざるを得ない。それに対し、このストレーナ１では、内部空間Ｎに開口するオーバーフロー管路６の出水口８，８が支柱３の途中に形成されているので、支柱３の下端面に、簡素な構成で済むバネ脚取付構造を設けることができる。この場合、バネ脚１２は小ぶりな板状部３Ａであってもしっかりと取り付けることができる。他方で、取水口７から出水口８，８までの支柱３の円筒部は大径に形成できるので、オーバーフロー管路６の流路断面積を大きく採れるという利点もある。
【００２０】
また、２つの出水口８，８が支柱３の周方向対角位置に形成され、且つ、上向きに膨らむ曲面部１０が双方の出水口８，８に向けて下るように傾斜しているので、オーバーフロー管路６内を流下した雨水を曲面部１０で分流させて出水口８，８に円滑に案内することができる。このような構成も、取水口７からの雨水を排水口２６から円滑に排出させることに寄与している。
【００２１】
尚、上記の実施形態では、ストレーナ１をベランダ２０の排水口２６に用いた例を示したが、本発明のストレーナはそれに限定されるものでなく、例えばルーフなどに設けられた排水口を蓋う場合にも適用可能である。
また、一体構成の漉し部材および支柱の材料としては、前記した硬質ポリ塩化ビニルに限らず、耐候性合成樹脂である、例えば軟質ポリ塩化ビニル、フェノール樹脂、ＡＢＳ樹脂、ポリプロピレンなど、あるいはこれらの表面にメッキを施したもの、あるいはアルミニウムその他の金属材料を用いて一体成形したものでも構わない。
また、上記では、ひとつのバネ脚１２を用いた例を示したが、２つ以上のバネ脚を平面視十字状などのように重ねて配置して支柱の下端部に固定するようにしてもよい。
【符号の説明】
【００２２】
１    ストレーナ
２    漉し部材
２Ｂ  下面
３    支柱
３Ａ  板状部
３Ｂ  下端面
４    通水開口
５    通水開口
６    オーバーフロー管路
７    取水口
８    出水口
１０  曲面部
１２  バネ脚
２０  ベランダ
２１  床
２６  排水口
２７  ドレン
２７Ａ  内周壁
Ｎ    内部空間
Ｍ    上方空間
【図１】
2011144573.tif 000003
【図２】
2011144573.tif 000004
【図３】
2011144573.tif 000005
【図４】
2011144573.tif 000006
【図５】
2011144573.tif 000007
【図６】
2011144573.tif 000008
【図７】
2011144573.tif 000009
【図８】
2011144573.tif 000010